(57)【要約】【課題】容易に栽培を行うことができる栽培器具を提供する。【解決手段】栽培器具１は、栽培容器１０と、栽培容器１０を支持する支持台９０とを備えている。栽培容器１０は、前後方向の内部寸法が左右方向の内部寸法よりも小さく、内部に用土を収納できるように構成されている。栽培容器１０は、上方開口部と前方開口部とを有する容器本体２１と、前方開口部を覆う前面部材４１と、前面部材４１を容器本体２１に取り付ける取付部材５３と、容器本体２１の両側部にそれぞれ設けられた把手部１１とを備えている。取付部材５３を容器本体２１に対して変位させることで、前面部材４１を容器本体２１に対して変位させて前方開口部を開放状態にすることができる。栽培容器１０は、把手部１１が支持台９０により保持されるようにして、支持台９０につり下げられている。【選択図】図１
2015226495.tif 000002
【特許請求の範囲】
【請求項１】
前後方向の内部寸法が左右方向の内部寸法よりも小さく、内部に用土を収納できる植物の栽培容器であって、
上方開口部と前方開口部とを有する容器本体と、
前記前方開口部を覆う前面部材と、
前記前面部材を前記容器本体に取り付ける取付部材と、
前記容器本体の両側部にそれぞれ設けられた把手部とを備え、
前記取付部材を前記容器本体に対して変位させることで、前記前面部材を前記容器本体に対して変位させて前記前方開口部を開放状態にすることができる、栽培容器。
【請求項２】
前記前方開口部は、矩形形状であり、
前記取付部材は、前記容器本体の前記前方開口部の周縁部のうち一辺の近傍で、前記容器本体に軸支されており、
前記取付部材を前記容器本体に対して変位させることで、前記前面部材を前記容器本体に対して回動させて前記前方開口部を開放状態にすることができる、請求項１に記載の栽培容器。
【請求項３】
請求項１又は２に記載の栽培容器と、
前記栽培容器を支持する支持台とを備え、
前記栽培容器は、前記把手部が前記支持台により保持されるようにして前記支持台につり下げられている、栽培器具。
【請求項４】
前記把手部は、前記容器本体の両側面のそれぞれに１つずつ、互いに同一の軸に沿うように設けられており、
前記把手部の外周面のうち、前記支持台に接触する部分は、円筒面を有しており、
前記栽培容器は、前記支持台に対して回動可能に、前記支持台に支持されている、請求項３に記載の栽培器具。
【請求項５】
前記支持台は、前記把手部の上下方向の変位を規制した状態で前記把手部を前記栽培容器の前後方向に摺動させることができるように構成されたレール部を有する、請求項３又は４に記載の栽培器具。
【発明の詳細な説明】
【技術分野】
【０００１】
この発明は、栽培容器及び栽培器具に関し、特に、根菜類を栽培することができる栽培容器及び栽培器具に関する。
【背景技術】
【０００２】
従来、いわゆる根菜類などの植物の栽培に適した栽培器具であって、栽培器具内に入れた土中で植物を栽培させるのに適したものが種々用いられている。
【０００３】
下記特許文献１には、箱形の容器の一部に設けられた扉を開くことで箱内の作物を容易に収穫できるようにした、大型根菜類の栽培容器の構造が開示されている。
【先行技術文献】
【特許文献】
【０００４】
【特許文献１】特開平８−１８７０３３号公報
【発明の概要】
【発明が解決しようとする課題】
【０００５】
ところで、植物を栽培するための栽培器具としては、良好に植物を育成することができるだけでなく、土を用意して種まきや苗植えを行う場面、栽培中の場面、作物の収穫を行う場面、次回の栽培に備える場面のそれぞれにおいて、より容易に効率良く作業等を行えることが必要とされている。
【０００６】
この発明はそのような問題点を解決するためになされたものであり、容易に植物の栽培を行うことができる栽培容器及び栽培器具を提供することを目的としている。
【課題を解決するための手段】
【０００７】
上記目的を達成するためこの発明のある局面に従うと、前後方向の内部寸法が左右方向の内部寸法よりも小さく、内部に用土を収納できる植物の栽培容器は、上方開口部と前方開口部とを有する容器本体と、前方開口部を覆う前面部材と、前面部材を容器本体に取り付ける取付部材と、容器本体の両側部にそれぞれ設けられた把手部とを備え、取付部材を容器本体に対して変位させることで、前面部材を容器本体に対して変位させて前方開口部を開放状態にすることができる。
【０００８】
好ましくは、前方開口部は、矩形形状であり、取付部材は、容器本体の前方開口部の周縁部のうち一辺の近傍で、容器本体に軸支されており、取付部材を容器本体に対して変位させることで、前面部材を容器本体に対して回動させて前方開口部を開放状態にすることができる。
【０００９】
この発明の他の局面に従うと、栽培器具は、上述に記載の栽培容器と、栽培容器を支持する支持台とを備え、栽培容器は、把手部が支持台により保持されるようにして支持台につり下げられている。
【００１０】
好ましくは、把手部は、容器本体の両側面のそれぞれに１つずつ、互いに同一の軸に沿うように設けられており、把手部の外周面のうち、支持台に接触する部分は、円筒面を有しており、栽培容器は、支持台に対して回動可能に、支持台に支持されている。
【００１１】
好ましくは、支持台は、把手部の上下方向の変位を規制した状態で把手部を栽培容器の前後方向に摺動させることができるように構成されたレール部を有する。
【発明の効果】
【００１２】
これらの発明に従うと、前後方向の内部寸法が左右方向の内部寸法よりも小さい栽培容器において、取付部材を容器本体に対して変位させることで、前面部材を容器本体に対して変位させて前方開口部を開放状態にすることができる。したがって、容易に植物の栽培を行うことができる栽培容器及び栽培器具を提供することができる。
【図面の簡単な説明】
【００１３】
【図１】本発明の実施の形態の１つにおける栽培器具を示す斜視図である。
【図２】栽培器具の構成を説明する斜視図である。
【図３】（ａ）は、レール部近傍の構造を示す部分拡大側面図であり、（ｂ）は、レール部近傍の構造の一変型例を説明する図である。
【図４】栽培容器の第１の斜視図である。
【図５】栽培容器の第２の斜視図である。
【図６】開状態であるときの栽培容器を示す斜視図である。
【図７】栽培容器の管理機構等の変型例を説明する断面図である。
【図８】栽培容器により栽培された作物の収穫方法について説明する図である。
【図９】本実施の形態の一変型例に係る栽培器具の斜視図である。
【図１０】本実施の形態のさらに別の変型例に係る栽培器具の斜視図である。
【発明を実施するための形態】
【００１４】
以下、本発明の実施の形態における栽培器具について説明する。
【００１５】
栽培器具は、植物を生育するための栽培容器と、栽培容器を支持する支持台とを備えている。栽培容器の内部に土を入れ、その土に種まきや苗植えを行って、植物を栽培することができる。栽培容器は、縦方向（上下方向）に深くなるように構成されており、特に、根菜の栽培に適している。
［実施の形態］
【００１６】
図１は、本発明の実施の形態の１つにおける栽培器具を示す斜視図である。
【００１７】
以下の説明において、図１で示されるＸ軸方向を左右方向（原点から見てＸ軸で正となる方向が右方向）、Ｙ軸方向を前後方向（原点から見てＹ軸で正となる方向が後方向）、Ｚ軸方向を上下方向（原点から見てＺ軸で正となる方向が上方向）ということがある。
【００１８】
図１に示されるように、栽培器具１は、２つの栽培容器１０（１０ａ，１０ｂ）と、１つの支持台９０とを有している。各栽培容器１０は、大まかに、上方に開口した直方体形状を有している。各栽培容器１０は、その両側面から突出する棒状の把手部１１が支持台９０に支持されるようにして、支持台９０につり下げられている。
【００１９】
支持台９０は、例えば、主にステンレス鋼の角形鋼管を用いて構成されている。なお、管の材質はこれに限られるものではなく、他の金属や非金属材料を用いたものであってもよい。また、管ではなく、主に板材等を用いて構成されていてもよい。
【００２０】
支持台９０の底部には、４つの車輪９９が取り付けられている。これにより、栽培器具１は、支持台９０によりつり下げられている栽培容器１０ごと、容易に移動させることができるようになっている。
【００２１】
支持台９０の両側部には、レール部９１が設けられている。支持台９０は、レール部９１で栽培容器１０の両側部に設けられている把手部１１を保持することで、栽培容器１０をレール部９１でつり下げるようにして支持する。
【００２２】
図２は、栽培器具１の構成を説明する斜視図である。
【００２３】
図２に示されるように、レール部９１は、支持台９０の前面側から栽培容器１０ａの把手部１１を、背面側から栽培容器１０ｂの把手部１１を、それぞれ差し込むことができるように構成されている。図２において、栽培容器１０ｂの支持台９０への取り付け方法が一点鎖線で示されている。
【００２４】
本実施の形態において、把手部１１は、栽培容器１０の両側部にそれぞれ１つずつ、互いに同一の軸に沿うように設けられている。把手部１１は、円筒形状を有している。すなわち、把手部１１の外周面のうち支持台９０に接触する部分は、円筒面を有している。
【００２５】
図３（ａ）は、レール部９１近傍の構造を示す部分拡大側面図であり、図３（ｂ）は、レール部９１近傍の構造の一変型例を説明する図である。
【００２６】
図３（ａ）に示されるように、レール部９１は、大まかに、支持台９０の側部に立設されている支持脚９３と、支持脚９３の上方に配置されている規制部材９５とを有している。支持脚９３の上面は、略水平面をなしている。規制部材９５は、例えば板状の部材であり、支持脚９３の上面と略平行に、支持脚９３からの間隔が把手部１１の直径よりも若干大きくなるようにして配置されている。図２に示されるように、規制部材９５のうち前後中央部の一部は、下方に折り曲げられて支持脚９３に接続された垂直部９５ａとなっている。
【００２７】
本実施の形態において、レール部９１の前端部と後端部とのそれぞれには、支持脚９３と規制部材９５との間隔がテーパ状に広げられた差込口９１ａが設けられている。このように差込口９１ａが設けられていることで、把手部１１をレール部９１に容易に納めることができる。
【００２８】
図３（ａ）に示されるように、把手部１１は、側面視で支持脚９３の上面と規制部材９５との間に位置するようにしてレール部９１に納められている。すなわち、支持台９０は、把手部１１の上下方向の変位を規制した状態で、把手部１１を栽培容器１０の前後方向に摺動させることができるように構成されている。ここで、垂直部９５ａは、栽培器具１において前方に位置する栽培容器１０ａの把手部１１が後方へ変位可能な位置を規制する。また、垂直部９５ａは、栽培器具１において後方に位置する栽培容器１０ｂの把手部１１が後方へ変位可能な位置を規制する。すなわち、垂直部９５ａの前縁及び後縁の位置は、栽培器具１に取り付けられる栽培容器１０の位置を鑑みて、設定されている。
【００２９】
ここで、レール部９１には、１つの把手部１１につき１つのロックピン９８を着脱可能である。例えば、規制部材９５には、ロックピン９８を差し込み可能な穴部９５ｂが形成されている。図３（ａ）に示されるように、把手部１１が垂直部９５ａ近くに位置している状態でロックピン９８を穴部９５ｂに差し込むことで、垂直部９５ａ及びロックピン９８により、把手部１１の前方への大きな変位と後方への大きな変位とが規制される。したがって、支持台９０に対する栽培容器１０の大まかな位置を固定することができる。また、ロックピン９８が取り付けられている状態で、栽培容器１０が支持台９０から脱落してしまうことも防止される（ロックピン９８は、把手部１１の抜止部材として機能する。）。なお、栽培容器１０を支持台９０から取り外す際には、ロックピン９８をレール部９１から引き抜けばよい。
【００３０】
なお、把手部１１のうち支持台９０に接触する部分が円筒面を有しており、栽培容器１０の左右の把手部１１は互いに同一の軸に沿うように設けられているので、栽培容器１０は、支持台９０に対して回動可能に、支持台９０に支持される。したがって、栽培容器１０を用いて栽培を行うときに、必要に応じて栽培容器１０を支持台９０に対して回動させた状態で、種々の作業を容易に行うことができる。
【００３１】
ロックピン９８が、把手部１１の変位可能な位置を規制するとともに、把手部１１の支持台９０に対する回転を規制するように構成されていてもよい。このような構成は、例えば、図３（ｂ）に変型例として示されるように、ロックピン９８が規制部材９５と把手部１１との両方に差し込まれるようにすることで実現可能である。この場合、把手部１１にもロックピン９８が差し込み可能な穴部（図示せず）が設けられていればよい。また、このように構成する場合、ロックピン９８が把手部１１に差し込まれることで、レール部９１に対する把手部１１の前後両方向への変位が規制されるので、上述のような垂直部９５ａの位置や垂直部９５ａの有無等は、栽培容器１０の位置決めに関係なく適宜設定可能である。
【００３２】
図４は、栽培容器１０の第１の斜視図である。図５は、栽培容器１０の第２の斜視図である。図６は、開状態であるときの栽培容器１０を示す斜視図である。
【００３３】
以下、主に、上述の栽培容器１０ａ，１０ｂを代表して、栽培容器１０ａについて説明する。栽培容器１０ａと栽培容器１０ｂとで構造に主な違いはなく、単に、後述の温度計等が取り付けられている側が栽培容器１０の左側であるか右側であるかが異なるにすぎない。
【００３４】
図４、図５及び図６に示されるように、栽培容器１０の外形及び内部空間は、全体として、前後方向の寸法が左右方向の寸法よりも小さく、上下方向の寸法が前後方向の寸法よりも比較的大きい直方体形状を有している。栽培容器１０は上方に開口しており、栽培容器１０の内部空間に用土を収納して、その用土で植物を栽培することができる。本実施の形態では、内部空間の上下方向の寸法が比較的大きい。すなわち、栽培容器１０は、特に根菜（例えば、ダイコン、ゴボウ、ニンジンなど）の栽培に適している。
【００３５】
栽培容器１０は、大まかに、容器本体２１と前面部材４１とを組み合わせて構成されている。容器本体２１と、前面部材４１とは、それぞれ、例えばステンレス鋼板を用いて構成されている。これらの材質は、これに限られず、種々のものを用いることができる。例えば、多種の金属板を用いて構成されていてもよいし、樹脂を成形して構成されていてもよい。また、樹脂成型品に金属部材による補強を加えて、栽培容器１０が構成されていてもよい。
【００３６】
容器本体２１は、直方体のうち上面の全面と前面の前面とが開口部となった、２面に開口部を有する箱形状を有している。すなわち、容器本体２１は、上方開口部と前方開口部とを有している。上方の開口部と前方の開口部とは、矩形形状である。図６に示されるように、前方の開口部の左右及び下方の縁部には、フランジ２１ａが形成されている。
【００３７】
上述の把手部１１は、容器本体２１の左右両側面の上部に、それぞれ側方に突出するように設けられている。
【００３８】
前面部材４１は、全体が略平坦な板形状であり、容器本体２１の前方の開口部の全域を覆うような矩形形状を有している。図４及び図５に示されるように前面部材４１が閉状態であるとき、前面部材４１は、フランジ２１ａに密着した状態とされる。これにより、全体として上方にのみ開口部を有する箱体状の栽培容器１０が構成される。他方、図６に示されるように前面部材４１を容器本体２１から取り外して開状態としたとき、容器本体２１の前方の開口部の全体が露出する。このように前面部材４１を開状態にすることにより、栽培容器１０の内部空間にアクセスしやすくなる。
【００３９】
なお、フランジ２１ａと、前面部材４１の左右及び下部の周縁部との間に挟まれるように、必要に応じて、パッキンが配置されていてもよい。これにより、内部空間から用土や液体等が漏れることをより確実に防止できる。
【００４０】
本実施の形態において、前面部材４１は、ヒンジ５１と、取付部材５３とを用いて、容器本体２１に取り付けられている。
【００４１】
ヒンジ５１は、容器本体２１の前方の開口部の周縁部となるフランジ２１ａのうち開口部の左辺近傍に、上下２箇所に離れて配置されている。ヒンジ５１は、容器本体２１の前方開口部の左辺近傍と前面部材４１の左辺近傍とを接続する。ヒンジ５１によって、前面部材４１は容器本体２１に軸支されており、前面部材４１を容器本体２１に対して回動（変位の一例）させることにより、容器本体２１の前方開口部を開放状態にしたり閉状態にしたりすることができる。
【００４２】
本実施の形態において、取付部材５３は、容器本体２１側に軸支されたロットボルト（いわゆるデンデンボルト）と、ロットボルトに締め込まれる蝶ナット（ウイングナット）とを有している。取付部材５３は、フランジ２１ａのうち、容器本体２１の前方の開口部の右辺近傍の２箇所と、下辺近傍の３箇所とに取り付けられている。各取付部材５３において、ロットボルトは、それが近接している容器本体２１の開口部の辺に略平行な軸で軸支されている。
【００４３】
図６に示されるように、前面部材４１の右辺及び下辺のそれぞれのうち、取付部材５３に対応する位置には、周縁部から、ロットボルトがはまる大きさの溝部４３が設けられている。フランジ２１ａにも溝部が形成されている。ユーザは、容器本体２１に対して前面部材４１を回動させ、容器本体２１の前方開口部が前面部材４１により覆われるように前面部材４１を配置した状態で、ロットボルトを前方に回転させて蝶ナットを締め込むことにより前面部材４１を容器本体２１に密着させて固定し、図４に示されるような閉状態とすることができる。また、その逆の手順で、取付部材５３の蝶ナットを緩めてからロットボルトを回転させて蝶ナットによる前面部材４１の回動規制を解除することで、前面部材４１を容器本体２１に対して回転させて、開放状態にすることができる。蝶ナットをロットボルトから完全に外すことなく、取付部材５３による前面部材４１の取付状態を解除することができる。また、ロットボルトは容器本体２１に軸支されており、脱落しないので、容易に前面部材４１の開閉操作を行うことができる。
【００４４】
なお、ヒンジ５１が設けられておらず、前面部材４１の左右両辺及び下辺近傍で、前面部材４１が取付部材５３によって容器本体２１に取り付けられていてもよい。この場合、前面部材４１は完全に容器本体２１から取り外し可能となる。また、ヒンジ５１は、前面部材４１及び容器本体２１の開口部の他の辺に取り付けられていてもよい。例えば、前面開口部の下辺近傍で前面部材４１が軸支されていてもよい。また、前面開口部の上辺部分にフランジ２１ａが形成されており、当該部分にヒンジ５１が取り付けられ、前面部材４１が開口部の上辺で軸支されるようにしてもよい。
【００４５】
また、取付部材５３は、上述のようなロットボルトと蝶ナットとの組み合わせに限られない。例えば、一般的な六角ボルトとナット等の組み合わせであってもよいし、それを容器本体２１に対して変位させることで（移動させたり、取り外したりすることを含む）、前面部材４１を容器本体２１に取り外し可能となるように、前面部材４１を容器本体２１に取り付けられるものを用いればよい。
【００４６】
本実施の形態において、栽培容器１０には、栽培時の温度調整や肥料の追加、水やり等を容易に行えるように、種々の管理機構が設けられている。
【００４７】
例えば、栽培容器１０の底部には、排水を調整するための機構が設けられている。すなわち、この機構は、容器本体２１の底部に取り付けられた穴板３５と、図６に示されるように容器本体２１の底面に形成されたたくさんの穴部２５とで構成されている。穴板３５は、図５に矢印Ｄで示されるように、左右に摺動可能に構成されている。ユーザは、穴板３５に設けられているつまみ３５ａを持って、穴板３５を摺動させて変位させることができる。
【００４８】
穴板３５には、穴部２５とほぼ同じ大きさの複数の穴が略同ピッチで形成されている。穴板３５を左右に摺動させることで、穴部２５と穴板２５との穴が重なる面積を変化させることで、栽培容器１０の内部に溜まった水等の液体の外部への排出量を調整することができる。
【００４９】
また、栽培容器１０の右側面には、２つの温度調整口６２や、２つの温度計６４や、アクセスホール６６等が設けられている。
【００５０】
図６に示されるように、温度調整口６２は、栽培容器１０の内部に巡らされた温度調整管６３に接続されている。各温度調整口６２にホース等を接続し、一方の温度調整管６３に冷水や温水を流し、他方の温度調整管６３から排水することで、栽培容器１０の内部に充填した熱と熱交換を行うことができる。これにより、栽培中に容易にかつ確実に、栽培環境の温度管理を行うことができる。
【００５１】
２つの温度計６４は、例えば熱電対を利用した測定プローブであり、図示されていない管理機器に接続されて、温度を測定することができる。温度計６４は、常時取り付けられていてもよいし、測温時にのみ栽培容器１０に取り付けられるようなものであってもよい。温度計６４は、栽培容器１０のうち上部と下部とにそれぞれ取り付けられている。これにより、上方の温度環境と下部の温度環境とを効率的に測定したり調整したりすることができるようになる。
【００５２】
アクセスホール６６は、例えば、栽培容器１０の右側面の下部に設けられている。アクセスホール６６は、蓋付きの穴部である。栽培中に必要があれば、適宜このアクセスホール６６を開状態にして、栽培容器１０の内部にアクセスできる。なお、アクセスホール６６の位置は側面下部に限られず、適宜設定されていればよいし、複数のアクセスホール６６が設けられていてもよい。
【００５３】
図７は、栽培容器１０の管理機構等の変型例を説明する断面図である。
【００５４】
図７に示されるように、栽培容器１０は、上下方向の寸法が比較的大きいものであるので、用土Ｓ中で上下方向に長く生育する根菜類などの作物Ｐを栽培することができる。
【００５５】
ここで、栽培容器１０の構成は、上述のようなものに限られない。上述のような構成に替えて、又は上述のような構成に加えて、適宜次のような変更が加えられていてもよい。
【００５６】
例えば、栽培容器１０は、上端部にフランジ部２２１ｂが形成されている容器本体２２１を用いて構成されていてもよい。このとき、栽培容器１０の上部を覆うフード２２９を用いることで、簡易的な温室を構成して栽培することができる。
【００５７】
また、栽培容器１０の温度を調整するために、栽培容器１０の外側に温度調整管２６３を設けてもよい。また、電圧を印加することで発熱する電熱シート３６３を栽培容器１０に貼り付けて、温度調整を行うようにしてもよい。
【００５８】
必要に応じて、栽培容器１０を保温シート２０５で包むことで、外気温が低い環境下において栽培温度が低くならないようにしてもよい。
【００５９】
アクセスホール６６は、具体的には、次のようなものであってもよい。例えば、容器本体２２１に設けられたフェルール２６６ａをキャップとクランプ２６７とを用いて開放、封止する構造を用いることができる。また、管２６６ｂのネジにキャップを締め込んで封止する構造を用いることができる。また、容器本体２２１に設けられた穴部を、ゴム栓２６６ｃを利用して封止する構造を用いることができる。
【００６０】
また、シャッター部材３６７により開閉可能なアクセスホール３６６を利用してもよい。例えば、シャッター部材３６７は、容器本体２２１の底面に平行に、ピン３２７ａを中心に回転可能に配置された平板であり、シャッター部材３６７の位置に応じて、容器本体２２１に形成されたアクセスホール３６６が開状態となったり閉状態となったりするようにしてもよい。
【００６１】
なお、これらの管理機構は、それぞれ図示した位置に限られず、栽培容器１０のうち、適当な位置に形成されていればよい。例えば、上述の温度調整管６３，２６３や電熱シート３６３、温度計６４、又はアクセスホール６６などは、栽培容器１０の表面のうちいずれの位置にあってもよい。また、これらの管理機構は、容器本体２１に限られず、前面部材４１に配置されていてもよい。これらの管理機構のうち、用いられないものがあってもよいし、すべてが用いられていなくてもよい。
【００６２】
図８は、栽培容器１０により栽培された作物の収穫方法について説明する図である。
【００６３】
図８に示されるように、ここでは、一例として３種類の方法が示されているが、これに限られるものではない。
【００６４】
例えば図８（ａ）に示されているように、栽培容器１０が栽培時の姿勢のままで前面部材４１を回動させて開放状態とすることで、作物Ｐと用土とを栽培容器１０からかき出すようにして作物Ｐを収穫することができる。
【００６５】
また、例えば図８（ｂ）に示されるように、栽培容器１０を横に寝かせた状態で前面部材４１を回動させて開放状態とすることで、用土から作物Ｐを容易に掘り起こして収穫することができる。
【００６６】
また、例えば図８（Ｃ）に示されるように、収穫台Ｊを用いて収穫を行ってもよい。すなわち、前面部材４１を回動させて開放状態として、前方の開口部を下方に向けて、栽培容器１０を収穫台Ｊ状に落として栽培容器１０に衝撃を加える。これにより、栽培容器１０から用土と共に作物Ｐが下方に落ち、作物Ｐを容易に収穫することができる。
【００６７】
以上説明したように、本実施の形態においては、栽培容器１０を用いて植物を栽培し、収穫時には前面部材４１を回動させて開放状態とすることができる。栽培容器１０は、比較的前後方向の内部寸法が小さいものであるので、開放状態としたときに、容易に作物を収穫することができる。また、栽培容器１０には把手部１１が設けられており、把手部１１を持って栽培容器１０を取り扱うことができるので、容易に栽培容器１０を取り扱うことができる。
【００６８】
栽培容器１０は、把手部１１を支持台９０のレール部９１に支持させて、栽培器具１として容易に取り扱うことができる。また、支持台９０と栽培容器１０との着脱も自由自在に行うことができる。したがって、より容易に、植物の栽培を行うことができる。なお、把手部１１は栽培容器１０の上部に取り付けられているので、把手部１１がレール部９１に支持された状態で、栽培容器１０の姿勢は安定する。
【００６９】
［その他］
【００７０】
支持台に取り付けられる栽培容器の数は２つに限られない。
【００７１】
図９は、本実施の形態の一変型例に係る栽培器具５０１の斜視図である。
【００７２】
図９に示されるように、多くの栽培容器１０を１つの支持台５９０に取り付けて栽培器具５０１を構成してもよい。図９に示される例では、例えば８つの栽培容器１０が１台の栽培器具５０１として組み合わせられている。このように多数の栽培容器１０を組み合わせることで、種まきから収穫まで容易に、大規模な栽培を行うことができる。
【００７３】
また、支持台に取り付けられる栽培容器の数は１つでもよい。
【００７４】
図１０は、本実施の形態のさらに別の変型例に係る栽培器具６０１の斜視図である。
【００７５】
図１０に示されるように、栽培器具６０１は、１つの栽培容器６１０を支持台６９０に支持させて構成されている。このとき、栽培容器６１０と支持台６９０とは着脱可能でなくてもよい。
【００７６】
ここで、栽培容器６１０は、上述の実施の形態における栽培容器１０とはサイズが異なるものであり、例えば、左右方向の寸法が小さい。栽培容器６１０は、容器本体６２１に前方部材６４１が取り付けられて構成されている。容器本体６２１の左右両側部には、把手部６１１が取り付けられている。栽培容器６１０は、把手部６１１が支持台６９０の支持部６９１に取り付けられて、支持台６９０に支持されている。
【００７７】
栽培容器６１０には、仕切６７０が設けられている。図１０に示される例では、仕切６７０は、栽培容器６１０の内部空間を２つに仕切る。栽培容器６１０の内部空間を仕切ることで、仕切られた後の空間内でそれぞれ独立した態様で栽培を行うことができる。
【００７８】
なお、支持台６９０には、車輪は設けられていない。支持台６９０に車輪を設けて、栽培器具６１０の移動を容易に行えるようにしてもよい。
【００７９】
以上の実施の形態の特徴を部分的に組み合わせて栽培容器や栽培器具を構成するようにしてもよい。例えば、上述のような栽培容器１０に、仕切を設けてもよい。
【００８０】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００８１】
１，５０１，６０１  栽培器具
１０（１０ａ，１０ｂ），６１０  栽培容器
１１，６１１  把手部
２１，２２１，６２１  容器本体
４１，６４１  前方部材
５１  ヒンジ
５３  取付部材
９０，５９０，６９０  支持台
９１，５９１  レール部
【図１】
2015226495.tif 000003
【図２】
2015226495.tif 000004
【図３】
2015226495.tif 000005
【図４】
2015226495.tif 000006
【図５】
2015226495.tif 000007
【図６】
2015226495.tif 000008
【図７】
2015226495.tif 000009
【図８】
2015226495.tif 000010
【図９】
2015226495.tif 000011
【図１０】
2015226495.tif 000012